(57)【要約】      （修正有）【課題】塗料除去用の部品や道具を別途要せず、現場で塗装用ローラーのローラー部に付いた塗料を速やかに除去することが可能となるスクレーパーを提供する。【解決手段】柄部２と柄部２に固定される平板状のヘラ部３とを備えるスクレーパー１であって、ヘラ部３には、ヘラ部３の正面から背面まで貫通する挿入孔４と、へラ部３の側面から挿入孔４まで切り欠かれたスリット５とが設けられており、挿入孔４が、塗装用ローラーのローラー部を挿入したときローラー部が摺接可能な内周面４１を有し、スリット５が、ローラー部を支承するアーム部においてスクレーパー１を塗装用ローラーから抜出させる開口部５２を有する。【選択図】図１
0003228521.tif 000002
【実用新案登録請求の範囲】
【請求項１】
柄部と当該柄部に固定される平板状のヘラ部とを備えるスクレーパーであって、
前記ヘラ部には、前記ヘラ部の正面から背面まで貫通する挿入孔と、前記へラ部の側面から当該挿入孔まで切り欠かれたスリットとが設けられており、
前記挿入孔が、塗装用ローラーのローラー部を挿入したとき当該ローラー部が摺接する内周面を有し、
前記スリットが、当該ローラー部を支承するアーム部において前記スクレーパーを前記塗装用ローラーから抜出させる開口部を有することを特徴とするスクレーパー。
【請求項２】
前記挿入孔が、前記ヘラ部の左右中央に設けた円形の孔であり、前記スリットが、前記挿入孔の半径以下の幅で前記挿入孔に連通する連通部を有することを特徴とする請求項１記載のスクレーパー。
【考案の詳細な説明】
【技術分野】
【０００１】
本考案は、塗装現場において用いられるスクレーパーに関する。
【背景技術】
【０００２】
塗装現場では、スクレーパーやローラー刷毛等と称される塗装用ローラーといった各種用具が持ち運ばれて利用されている。スクレーパーは、柄部と当該柄部に固定される平板状のヘラ部とを備えており、塗装やサビを剥がし落としたりペンキ缶を開けたりするために利用される。塗装用ローラーは、柄部と当該柄部に固定されローラー部を回転自在に支承するアーム部とを備えており、塗料を塗るために利用される。ローラー部は、アーム部に回転自在に連結される剛性の芯部と、当該芯部に取り付けられる略円筒状の塗装部とを備えており、当該塗装部は、クッション性のあるアクリル繊維、ポリエステル繊維等やスポンジ等の材質により成形されており、塗料を付着させることができる。
【０００３】
塗装作業後、塗装用ローラーのローラー部に付いた塗料を取り除く。ローラー部に付いた塗料をしごき取るための用具として、塗料収納容器等が知られている（例えば、特許文献１参照）。
【先行技術文献】
【特許文献】
【０００４】
【特許文献１】特開平９−１３６０５７号公報
【考案の概要】
【考案が解決しようとする課題】
【０００５】
塗装の現場においては、塗装の進捗に応じて順次場所を移動するため、持ち運ぶ用具は少なく、かつ、コンパクトであるものが望ましい。しかし、特許文献１に記載された技術では、塗装作業に用いる塗装用ローラーやスクレーパーとは別に塗料除去用の道具を持ち運ぶことになり、嵩張って煩わしいという問題があった。
【０００６】
塗料は約１時間で徐々に固化するため、ローラー部に付いた塗料を除去する場合には、速やかに行う必要がある。しかし、塗料を除去する道具が設置された場所まで行くと、除去するまでに時間がかかるという問題があった。また、塗装作業中に休憩する場合等、ローラー部に付着している塗料を一時的に除去したいときに、現場を離れて塗料を除去する道具が設置された場所まで毎回行くのが面倒であるという問題があった。
【０００７】
したがって、本考案の目的は、上記した課題を解決し、塗料除去用の部品や道具を別途要せず、現場で塗装用ローラーのローラー部に付いた塗料を速やかに除去することが可能となるスクレーパーを提供することにある。
【課題を解決するための手段】
【０００８】
本考案の第１の態様は、上記目的を達成するため、柄部と当該柄部に固定される平板状のヘラ部とを備えるスクレーパーであって、
前記ヘラ部には、前記ヘラ部の正面から背面まで貫通する挿入孔と、前記へラ部の側面から当該挿入孔まで切り欠かれたスリットとが設けられており、
前記挿入孔が、塗装用ローラーのローラー部を挿入したとき当該ローラー部が摺接する内周面を有し、
前記スリットが、当該ローラー部を支承するアーム部において前記スクレーパーを前記塗装用ローラーから抜出させる開口部を有することを特徴とするスクレーパーを提供する。
【０００９】
本考案の第１の態様によれば、塗料除去用の部品や道具を別途要せず、現場で塗装用ローラーのローラー部に付いた塗料を速やかに除去することが可能となる。
【００１０】
前記挿入孔が、前記ヘラ部の左右中央に設けた円形の孔であり、前記スリットが、前記挿入孔の半径以下の幅で前記挿入孔に連通する連通部を有することが好ましい。
【考案の効果】
【００１１】
本考案によれば、塗料除去用の部品や道具を別途要せず、現場で塗装用ローラーのローラー部に付いた塗料を速やかに除去することが可能となる。
【図面の簡単な説明】
【００１２】
【図１】本考案のスクレーパーの実施例１の正面図である。
【図２】本考案のスクレーパーの実施例１の（Ａ）上面図、（Ｂ）背面図、（Ｃ）左側面図、（Ｄ）右側面図、（Ｅ）底面図である。
【図３】本考案のスクレーパーの実施例１の使用状態説明図（ローラー部の塗料を除去している状況）である。
【図４】本考案のスクレーパーの実施例１の使用状態説明図（アーム部から取り外している状況）である。
【考案を実施するための形態】
【００１３】
以下、本考案について、適宜図面を参照しつつ本考案の実施の形態を具体的に説明するが、本考案はこれらの実施の形態に限定されるものではなく、本考案の要旨を変更しない限りにおいて適宜変更可能である。
【実施例１】
【００１４】
図１は、本考案のスクレーパーの実施例１の正面図である。図２は、本考案のスクレーパーの実施例１の（Ａ）上面図、（Ｂ）背面図、（Ｃ）左側面図、（Ｄ）右側面図、（Ｅ）底面図である。図３は、本考案のスクレーパーの実施例１の使用状態説明図（ローラー部の塗料を除去している状況）である。図４は、本考案のスクレーパーの実施例１の使用状態説明図（アーム部から取り外している状況）である。
【００１５】
本実施例のスクレーパー１は、柄部２と柄部２に固定される平板状のヘラ部３とを備えるスクレーパーであって、ヘラ部３には、正面から背面まで貫通する挿入孔４と、ヘラ部３の側面から挿入孔４まで切り欠かれたスリット５とが設けられている。
【００１６】
塗装用ローラー１００は、従来一般に使用されるものであり、柄部１３０と、円筒状のローラー部１１０と、一端を柄部１３０に固定され他端をローラー部１１０に連結されローラー部１１０を回転自在に支承するアーム部１２０と、を備えている。アーム部１２０は丸棒状の部材であり、ローラー部１１０の軸方向に対して略直角方向に配置される柄部１３０とローラー部１１０とを連結するため「く」の字状に屈曲している。ローラー部１１０は、前述の芯部１１２と、芯部１１２の外周に取り付けられる略円筒状の塗装部１１１とを備えており、塗料が付着ないし吸収された塗装部１１１を壁面等の対象に押し当てて転動させることにより塗装することができる。
【００１７】
本実施例のスクレーパー１では、挿入孔４が、塗装用ローラー１００のローラー部１１０を挿入したときローラー部１１０が摺接する内周面４１を有する。また、本実施例のスクレーパー１では、スリット５が、ローラー部１１０を支承するアーム部１２０においてスクレーパー１を塗装用ローラー１００から抜出させる開口部５２を有する。
【００１８】
すなわち、挿入孔４の内径は、塗装用ローラー１００のローラー部１１０を挿入したとき挿入孔４の内周面４１にローラー部が摺接するように形成されている。また、スリット５の溝幅は、アーム部が進入可能な幅に形成されている。以下、構成要素ごとに詳細に説明する。
【００１９】
スクレーパー１は、正面側と背面側で一対となる木製の柄部２と、スチール製のヘラ部３とを備えており、ヘラ部３を一対の柄部２で正面及び背面側から挟み込んで金具６を用いて固定することにより一体として形成されている。ヘラ部３は、平板状であるが、その先端（上縁）には刃７が形成されている。本実施例では、スクレーパー１は片刃で、本実施例の説明においては、刃が設けられている側の面を正面側とする。
【００２０】
ヘラ部３の略中央やや柄部寄りには、円形状の挿入孔４が穿設されている。本実施例では、挿入孔４は、へラ部の左側辺からも右側辺からも同距離の箇所（左右中央）に設けられている。すなわち、挿入孔４はヘラ部３の左右中央に中心点がある円形の穴である。挿入孔４の直径は、塗装用ローラー１００のローラー部１１０を挿入したとき（図３参照）、挿入孔４の内周面４１にローラー部１１０の外周側が摺接する寸法、別言すれば、塗装部１１１を含むローラー部１１０の直径よりも小さく、クッション性があり収縮することが可能な塗装部１１１を挿入することが可能な内径である。本実施例では、挿入孔４は円形の孔であるが、挿入孔の形状は四角形や三角形等他の形状であってもよい。本実施例では、挿入孔４は円形であるので、塗料を均一に除去しやすい。
【００２１】
さらに、ヘラ部３には、ヘラ部３の右側面から挿入孔４に至るまで切り欠かれたスリット５が形成されている。ヘラ部の側面側の端部を開口部５２、挿入孔４と連通する側の端部を連通部５１とする。本実施例では、連通部５１は、挿入孔の半径以下の幅で挿入孔４に連通する。スリット５の溝幅は、塗装用ローラー１００のアーム部１２０が進入可能な幅、別言すれば、丸棒を屈曲してなるアーム部１２０の直径よりも大きく形成されている。なお、スリット５は、本実施例では、右利きの場合に使いやすいように、開口部５２をヘラ部３の右側面側に開口部５２を設けてあるが、ヘラ部３の左側面側に開口部を形成するようにしてもよい。また、スリット５は、溝幅を開口部５２から連通部５１まで一定として、溝の側面を平行に形成するようにしても良く、開口部側の溝幅が広くなるように形成してもよい。
【００２２】
スクレーパー１は、従来一般に市販されている、柄部と当該柄部に固定される平板状のヘラ部とを備えるスクレーパーをベースに、これにドリル等で穴あけ加工することで製作してもよい。市販のスクレーパーを加工して作成できるため製造コストの面で優れている。
【００２３】
スクレーパー１の各部位の寸法は任意であるが、塗装やサビを剥がし落としたりペンキ缶を開けたりする等のスクレーパーとしての機能が維持されるようにヘラ部３及び柄部２が形成されていることが望ましい。本実施例のスクレーパー１では、刃部７の刃渡りは約９０ｍｍであり、へラ部は左右中央部分で長さが約８．４ｍｍである。挿入孔４の直径は約２５ｍｍであり、スリット５の溝幅は連通部５１側で約８ｍｍであるが１０ｍｍ程度でもよい。本実施例では、スリット５の開口部５２側は連通部５１側より溝幅が約３ｍｍ広いが、連通部５１側の溝幅と同じでもよい。各部位の寸法は本実施例における寸法に限られず任意に設定可能である。
【００２４】
次に、スクレーパー１を塗装用ローラー１００のローラー部１１０に付いた塗料を除去するための用具として使用するときの使用方法について説明する。なお、塗装やサビを剥がし落としたりする等の従来の機能を発揮するための使用方法は従来と同様であるので、説明を省略する。
【００２５】
前述のとおり、塗料は約１時間で徐々に固化するため、ローラー部に付いた塗料を除去する場合には、速やかに行うことが望ましい。
【００２６】
塗装用ローラー１００使用途中で休憩するために本実施例のスクレーパー１を塗料除去に使用する際は、まず、一方の手（例えば右手）で塗装用ローラー１００を把持し、他方の手（例えば左手）でスクレーパー１を把持し、塗装用ローラー１００は、例えばローラー部１１０の先端側を上にしてローラー部１１０の根元側を下にして持つ。
【００２７】
その後、図３に示すように、スクレーパー１の挿入孔４にローラー部１１０の先端を挿入して押し込んでいくことにより、挿入孔４の内周面４１にローラー部１１０が摺接することによって、ローラー部１１０の塗装部１１１に付着ないし吸収された塗料をヘラ部３の一方の面（図３では下側）に順次絞り出す。ローラー部１１０の下方に塗料缶等を置いてあれば絞り出した塗料を受けることもできる。
【００２８】
スクレーパー１のヘラ部３の背面側（図３ではスクレーパー１下面）では、挿入穴４の周囲に、ローラー部１１０からそぎ落とされた塗料が溜まってから下に落ちる。挿入穴４の周囲のヘラ部３が極めて広い鍔のような役割を果たすため、溜まった塗料が上面に回ってローラー部１１０に再付着するおそれがない。したがって、再付着した塗料を再度そぎ落とす手間がなく、スピーディーに除去作業を完了させることができる。
【００２９】
なお、本実施例では、ヘラ部３の背面側（刃部のない側）からローラー部１１０に挿入しているが、ヘラ部３の正面側から挿入するようにしてもよい。
【００３０】
スクレーパー１を塗装用ローラー１００のローラー部１１０根元側まで押し込んで、図４に示すように、アーム部１２０側まで移動させたら、スリット５にアーム部１２０を通して塗装用ローラー１００からスクレーパー１を離脱させる。図４は、ローラー部１１０の根元側（下側）から見た図である。アーム部１２０側まで下ろしたとき、へラ部３がアーム部１２０に当たったら、スクレーパー１を手前から前方へ時計回りに回転させて、図４に示すように、スリット５にアーム部１２０が入るようにスクレーパー１の向きを変えて抜く。アーム部１２０を反対回りに回転させてもよい。左手に塗装用ローラー１００、右手にスクレーパー１を正面側が上になるように持って、スクレーパー１を前方から手前側に引き抜いてもよい。また、左手に塗装用ローラー１００、右手にスクレーパー１を背面側が上になるように持って、スクレーパー１を手前から前方側に引き抜いてもよい。
【００３１】
以上の工程によれば、塗装用ローラー１００のローラー部１１０に付着した塗料を速やかに除去することが可能である。なお、ローラー部１１０のうちスリット５部分に当たっていた塗料がある等、一度の工程では除去し残した塗料がある場合には、塗装用ローラー１００に対するスクレーパー１の挿入角度を変えて、再度同一の工程を行う。
【００３２】
｛効果｝
本実施例によれば、塗料除去用の部品や道具を別途要せず、現場で塗装用ローラーのローラー部に付いた塗料を速やかに除去することが可能となる。
【００３３】
本実施例によれば、柄部を握ったままで、スクレーパーとしての従来の用途に加えて、ローラー部に付いた塗料を除去するための用具としても用いることができる。すなわち、スクレーパー機能と塗料除去機能を兼ね備えた一体型の道具となり、利便性が高い。また、スクレーパーに部品を付け加えないのでコンパクトである。さらに、本実施例によれば、持ち運ぶ用具を増加させる必要がなくなり、ローラー部１１０を１、２回スクレーパーに通すだけで手軽に素早く塗料をローラー部１１０からそぎ落とすことができるので、塗装現場における作業性を向上させることができる。
【００３４】
なお、従来一般に市販されている、柄部と当該柄部に固定される平板状のヘラ部とを備えるスクレーパーをベースに、これを加工することで製作することもできるので、製造コストの面でも優れている。
【００３５】
なお、本考案は、上記実施の形態に限定されず、その考案の趣旨を逸脱しない範囲で種々と変形実施が可能である。また、上記各実施の形態の構成要素を考案の趣旨を逸脱しない範囲で任意に組み合わせることができる。
【符号の説明】
【００３６】
１      スクレーパー
２      柄部
３      ヘラ部
４      挿入孔
４１    内周面
５      スリット
５１    連通部
５２    開口部
６      金具
７      刃部
１００  塗装用ローラー
１１０  ローラー部
１１１  塗装部
１１２  芯部
１２０  アーム部
１３０  柄部
【図１】
0003228521.tif 000003
【図２】
0003228521.tif 000004
【図３】
0003228521.tif 000005
【図４】
0003228521.tif 000006